(57)【要約】【課題】従来技術における課題を解決することにより、専門医でなくても近医（開業医）で手軽に診断できる迅速診断キットを提供しうる手段を提供する。【解決手段】難治性血管炎のバイオマーカー迅速測定法の４抗原（ＭＰＯ、モエシン、ＰＲ３、ＧＢＭ）を、組み換え技術を用いて大量生産し、搭載抗原量を可視化判定できる最低量に最適化し、大量に安定供給することで、１５分程度で測定できる簡易キットを安価な普及価格として製品化することができることを見出し、また、本キットの測定の高感度化に利用できる蛍光測定器をも開発した。【選択図】図１２Ｂ
2020115139.tif 000002
【特許請求の範囲】
【請求項１】
生体試料において、ミエロペルオキシダーゼ（ＭＰＯ）を特異的に認識する抗体（抗体
ＭＰＯ抗体）を検出し、モエシンを特異的に認識する抗体（抗モエシン抗体）を検出し、
プロテイナーゼ３（ＰＲ３）を特異的に認識する抗体（抗ＰＲ３抗体）を検出し、コラー
ゲンα３（ＩＶ）鎖を特異的に認識する抗体（抗ＧＢＭ抗体）を検出することを含む、血
管炎の検査方法。
【請求項２】
検査の対象動物がヒトである、請求項１に記載の検査方法。
【請求項３】
前記生体試料が血清である、請求項１または２に記載の検査方法。
【請求項４】
前記血管炎が、顕微鏡的多発血管炎（ＭＰＡ）、多発血管炎性肉芽種症（ＧＰＡ）、ま
たは好酸球性多発血管炎性肉芽腫症（ＥＧＰＡ）である、請求項１〜３のいずれか１項に
記載の検査方法。
【請求項５】
生体試料中の、ＭＰＯを特異的に認識する抗体を検出する物質、モエシンを特異的に認
識する抗体を検出する物質、ＰＲ３を特異的に認識する抗体を検出する物質、およびコラ
ーゲンα３（ＩＶ）鎖を特異的に認識する抗体を検出する物質を含む、血管炎の検査用試
薬。
【請求項６】
前記ＭＰＯを特異的に認識する抗体を検出する物質がＭＰＯ重鎖および／またはその部
分ペプチドであり、前記モエシンを特異的に認識する抗体を検出する物質がモエシンおよ
び／またはその部分ペプチドであり、前記ＰＲ３を特異的に認識する抗体を検出する物質
がＰＲ３および／またはその部分ペプチドであり、前記コラーゲンα３（ＩＶ）鎖を特異
的に認識する抗体を検出する物質がコラーゲンα３（ＩＶ）鎖および／またはその部分ペ
プチドである、請求項５に記載の検査用試薬。
【請求項７】
前記血管炎が、顕微鏡的多発血管炎（ＭＰＡ）、多発血管炎性肉芽種症（ＧＰＡ）、ま
たは好酸球性多発血管炎性肉芽腫症（ＥＧＰＡ）である、請求項５または６に記載の検査
用試薬。
【請求項８】
以下の（ａ）〜（ｄ）のいずれかのポリヌクレオチド：
（ａ）配列番号４で表される塩基配列からなるポリヌクレオチド；
（ｂ）配列番号５で表されるアミノ酸配列からなるタンパク質をコードするポリヌクレ
オチド；
（ｃ）配列番号６で表されるアミノ酸配列をコードする塩基配列を含み、かつ配列番号
５で表されるアミノ酸配列において、１もしくは数個のアミノ酸が置換、欠失、挿入、お
よび／または付加したアミノ酸配列からなり、配列番号５で表されるアミノ酸配列からな
るタンパク質と機能的に同等なタンパク質をコードするポリヌクレオチド；並びに、
（ｄ）配列番号６で表されるアミノ酸配列をコードする塩基配列を含み、かつ配列番号
５に記載の塩基配列と７０％以上のホモロジーを有し、配列番号５で表されるアミノ酸配
列からなるタンパク質と機能的に同等なタンパク質をコードするポリヌクレオチド。
【請求項９】
請求項８に記載の（ａ）〜（ｄ）のいずれかのポリヌクレオチドによってコードされる
タンパク質。
【請求項１０】
配列番号５で表されるアミノ酸配列からなるタンパク質。
【発明の詳細な説明】
【技術分野】
【０００１】
本発明は、血管炎のバイオマーカーＡＮＣＡおよび関連マーカーの簡易で高感度な測定
法に関する。
【背景技術】
【０００２】
ミエロペルオキシダーゼ（ＭＰＯ）に対する好中球自己抗体（ＭＰＯ−ＡＮＣＡ（Ａｎ
ｔｉ−Ｎｅｕｔｒｏｐｈｉｌ  Ｃｙｔｏｐｌａｓｍｉｃ  Ａｎｔｉｂｏｄｙ））等のＭＰ
Ｏを特異的に認識する抗体（以下、単に「抗ＭＰＯ抗体」とも称する）、モエシンを特異
的に認識する抗体（以下、単に「抗モエシン抗体」とも称する）、プロテイナーゼ３（Ｐ
Ｒ３）を特異的に認識する抗体（以下、単に「抗ＰＲ３抗体」とも称する）、および抗コ
ラーゲンα３（ＩＶ）鎖抗体に代表される抗糸球体基底膜（ＧＢＭ（Ｇｌｏｍｅｒｕｌａ
ｒ  Ｂａｓｅｍｅｎｔ  Ｍｅｍｂｒａｎｅ））抗体（以下、単に「抗ＧＢＭ抗体」とも称
する）は、顕微鏡的多発血管炎（ＭＰＡ）、多発血管炎性肉芽種症（ＧＰＡ）、好酸球性
多発血管炎性肉芽腫症（ＥＧＰＡ）、チャーグ・ストラウス（Ｃｈｕｒｇ−Ｓｔｒａｕｓ
ｓ）症候群、アレルギー性肉芽腫性血管炎）などの難治性血管炎に関連している。そして
、これらの患者の血清中のＭＰＯ−ＡＮＣＡは、これらの疾患のマーカーとして、診断や
治療判定に用いられている（例えば、非特許文献１〜６を参照）。
【０００３】
しかしながら、これら各自己抗体の検出・測定は、医師の依頼を受けた検査機関が実施
しているのが現状である。そのため、結果が医師の元に届くまで数日を要し、また、測定
コストも高額であることから、血管炎の診断は普及していない。
【０００４】
この問題点を克服すべく株式会社Ａ−ＣＬＩＰ研究所が開発した測定用キット（ＡＮＣ
Ａ−Ｆａｓｔ）は１５分以内の短時間で血管炎の診断結果を得ることができる。しかしな
がら、開発済みの試験研究用プロトタイプは単価６万円と高く、一般診療所を含め医師が
日常的に使用する場合には、患者負担も大きくなることから、キットの利用拡大を推進す
る障害となっている。
【０００５】
さらに、現在ＡＮＣＡ−Ｆａｓｔキットに搭載されている上記抗原タンパク質のうち、
モエシンのみが株式会社Ａ−ＣＬＩＰ研究所によって組換えタンパク質として作製されて
おり、また、標準となる抗モエシン抗体も培養技術を利用することで生産が可能である（
特許文献１を参照）。一方、その他の３種の抗原タンパク質については、ヒト細胞由来ま
たは他種動物臓器由来の精製タンパク質を用いており、かつ、高価であるために、製造コ
ストを押し上げる原因となっており、安価な普及型のキット生産の障害となっている。
【先行技術文献】
【特許文献】
【０００６】
【特許文献１】国際公開第２０１２／０３９１６１号パンフレット
【非特許文献】
【０００７】
【非特許文献１】Ｇｏｅｋｅｎ  ＪＡ．  Ａｎｔｉｎｅｕｔｒｏｐｈｉｌ  ｃｙｔｏｐｌａｓｍｉｃ  ａｎｔｉｂｏｄｙ−Ａ  ｕｓｅｆｕｌ  ｓｅｒｏｌｏｇｉｃａｌ  ｍａｒｋｅｒ  ｆｏｒ  ｖａｓｃｕｌｉｔｉｓ．  Ｊ  Ｃｌｉｎ  Ｉｍｍｕｎｏｌ  １９９１；  １１：  １６１−１７４
【非特許文献２】Ｓｕｚｕｋｉ  Ｋ，  Ｎａｇａｏ  Ｔ，  Ｉｔａｂａｓｈｉ  Ｍ，  Ｈａｍａｎｏ  Ｙ，  Ｓｕｇａｍａｔａ  Ｒ，  Ｙａｍａｚａｋｉ  Ｙ，  Ｙｕｍｕｒａ  Ｗ，  Ｔｓｕｋｉｔａ  Ｓ，  Ｗａｎｇ  ＰＣ，  Ｎａｋａｙａｍａ  Ｔ，  Ｓｕｚｕｋｉ  Ｋ．  Ａ  ｎｏｖｅｌ  ａｕｔｏａｎｔｉｂｏｄｙ  ａｇａｉｎｓｔ  ｍｏｅｓｉｎ  ｉｎ  ｔｈｅ  ｓｅｒｕｍ  ｏｆ  ｐａｔｉｅｎｔｓ  ｗｉｔｈ  ＭＰＯ−ＡＮＣＡ−ａｓｓｏｃｉａｔｅｄ  ｖａｓｃｕｌｉｔｉｓ．  Ｎｅｐｈｒｏｌ  Ｄｉａｌ  Ｔｒａｎｓｐｌａｎｔ．  ２０１４  Ｊｕｎ；２９（６）：１１６８−７７．．Ｅｌｌｅｎ  Ｆ．  Ｃａｒｎｅｙ．  ＶＡＳＣＵＬＩＴＩＳ：  Ｐｏｔｅｎｔｉａｌ  ｒｏｌｅ  ｏｆ  ａｎ  ａｎｔｉｍｏｅｓｉｎ  ａｕｔｏａｎｔｉｂｏｄｙ  ｉｎ  ＡＡＶ  Ｎａｔｕｒｅ  Ｒｅｖｉｅｗｓ  Ｎｅｐｈｒｏｌｏｇｙ  ２０１４；  １０：３．
【非特許文献３】Ｕｎｉｚｏｎｙ  Ｓ，  Ｖｉｌｌａｒｒｅａｌ  Ｍ，  Ｍｉｌｏｓｌａｖｓｋｙ  ＥＭ，  Ｌｕ  Ｎ，  Ｍｅｒｋｅｌ  ＰＡ，  Ｓｐｉｅｒａ  Ｒ，  Ｓｅｏ  Ｐ，  Ｌａｎｇｆｏｒｄ  ＣＡ，  Ｈｏｆｆｍａｎ  ＧＳ，  Ｋａｌｌｅｎｂｅｒｇ  ＣＭ，  Ｓｔ  Ｃｌａｉｒ  ＥＷ，  Ｉｋｌｅ  Ｄ，  Ｔｃｈａｏ  ＮＫ，  Ｄｉｎｇ  Ｌ，  Ｂｒｕｎｅｔｔａ  Ｐ，  Ｃｈｏｉ  ＨＫ，  Ｍｏｎａｃｈ  ＰＡ，  Ｆｅｒｖｅｎｚａ  Ｆ，  Ｓｔｏｎｅ  ＪＨ，  Ｓｐｅｃｋｓ  Ｕ；  ＲＡＶＥ−ＩＴＮ  Ｒｅｓｅａｒｃｈ  Ｇｒｏｕｐ．  Ｃｌｉｎｉｃａｌ  ｏｕｔｃｏｍｅｓ  ｏｆ  ｔｒｅａｔｍｅｎｔ  ｏｆ  ａｎｔｉ−ｎｅｕｔｒｏｐｈｉｌ  ｃｙｔｏｐｌａｓｍｉｃ  ａｎｔｉｂｏｄｙ  （ＡＮＣＡ）−ａｓｓｏｃｉａｔｅｄ  ｖａｓｃｕｌｉｔｉｓ  ｂａｓｅｄ  ｏｎ  ＡＮＣＡ  ｔｙｐｅ．  Ａｎｎ  Ｒｈｅｕｍ  Ｄｉｓ．  ２０１５  Ｎｏｖ  ３０．  ｐｉｉ：  ａｎｎｒｈｅｕｍｄｉｓ−２０１５−２０８０７３．  ｄｏｉ：  １０．１１３６／ａｎｎｒｈｅｕｍｄｉｓ−２０１５−２０８０７３．  ［Ｅｐｕｂ  ａｈｅａｄ  ｏｆ  ｐｒｉｎｔ］
【非特許文献４】ｄｅ  Ｊｏｏｄｅ  ＡＡ，  Ｒｏｏｚｅｎｄａａｌ  Ｃ，  ｖａｎ  ｄｅｒ  Ｌｅｉｊ  ＭＪ，  Ｂｕｎｇｅｎｅｒ  ＬＢ，  Ｓａｎｄｅｒｓ  ＪＳ，  Ｓｔｅｇｅｍａｎ  ＣＡ．Ｐｅｒｆｏｒｍａｎｃｅ  ｏｆ  ｔｗｏ  ｓｔｒａｔｅｇｉｅｓ  ｆｏｒ  ｕｒｇｅｎｔ  ＡＮＣＡ  ａｎｄ  ａｎｔｉ−ＧＢＭ  ａｎａｌｙｓｉｓ  ｉｎ  ｖａｓｃｕｌｉｔｉｓ．  Ｅｕｒ  Ｊ  Ｉｎｔｅｒｎ  Ｍｅｄ．  ２０１４  Ｆｅｂ；２５（２）：１８２−６．  ｄｏｉ：  １０．１０１６／ｊ．ｅｊｉｍ．２０１３．１１．０１１．  Ｅｐｕｂ  ２０１３  Ｄｅｃ  １９．
【非特許文献５】Ｋａｌｌｅｎｂｅｒｇ  ＣＧ，  Ｓｔｅｇｅｍａｎ  ＣＡ，  Ｈｅｅｒｉｎｇａ  Ｐ．  Ａｕｔｏａｎｔｉｂｏｄｉｅｓ  ｖｅｘ  ｔｈｅ  ｖａｓｃｕｌａｔｕｒｅ．  Ｎａｔ．  Ｍｅｄ．  ２００８  Ｏｃｔ；１４（１０）：１０１８−９．
【非特許文献６】Ｋａｉｎ  Ｒ，  Ｅｘｎｅｒ  Ｍ，  Ｂｒａｎｄｅｓ  Ｒ，  Ｚｉｅｂｅｒｍａｙｒ  Ｒ，  Ｃｕｎｎｉｎｇｈａｍ  Ｄ，  Ａｌｄｅｒｓｏｎ  ＣＡ，  Ｄａｖｉｄｏｖｉｔｓ  Ａ，  Ｒａａｂ  Ｉ，  Ｊａｈｎ  Ｒ，  Ａｓｈｏｕｒ  Ｏ，  Ｓｐｉｔｚａｕｅｒ  Ｓ，  Ｓｕｎｄｅｒ−Ｐｌａｓｓｍａｎｎ  Ｇ，  Ｆｕｋｕｄａ  Ｍ，  Ｋｌｅｍｍ  Ｐ，  Ｒｅｅｓ  ＡＪ，  Ｋｅｒｊａｓｃｈｋｉ  Ｄ．  Ｍｏｌｅｃｕｌａｒ  ｍｉｍｉｃｒｙ  ｉｎ  ｐａｕｃｉ−ｉｍｍｕｎｅ  ｆｏｃａｌ  ｎｅｃｒｏｔｉｚｉｎｇ  ｇｌｏｍｅｒｕｌｏｎｅｐｈｒｉｔｉｓ．  Ｎａｔ．  Ｍｅｄ．  ２００８  Ｏｃｔ；１４（１０）：１０８８−９６．  Ｅｐｕｂ  ２００８  Ｏｃｔ  ５．
【発明の概要】
【発明が解決しようとする課題】
【０００８】
難治性血管炎患者は、国内では、１４．８／１００万人との報告があるが、専門医によ
る病名特定がされずに重症化することから、１年間に１００万人規模の検査対象患者が存
在するものと推定されている。このため、専門医でなくても近医（開業医）で手軽に診断
できる迅速診断キットを「開業医用の普及型」として開発することができれば、早期発見
および開業医による簡易検査が可能になる。
【０００９】
しかしながら、従来の診断方法では、難治性血管炎診断のバイオマーカーである抗ＭＰ
Ｏ抗体、抗モエシン抗体、抗ＰＲ３抗体、抗ＧＢＭ抗体の測定に関して、
（１）測定依頼の数日後に結果の報告を受けることで判定に時間がかかる
（２）専門の検査機関でしか測定できない
（３）検査用の原材料はヒト由来生体材料で入手困難で倫理的な問題がある
（４）大量に生産ができず、個々のバラつきがあり結果の信頼性に欠ける
（５）高感度測定には、専門の技術者と高額な専用の測定機器が必要
といった問題を抱えていた。
【００１０】
そこで本発明は、上述した従来技術における課題を解決することにより、専門医でなく
ても近医（開業医）で手軽に診断できる迅速診断キットを提供しうる手段を提供すること
を目的とする。
【課題を解決するための手段】
【００１１】
本発明者らは、上述した課題を解決することを目指して、鋭意研究を行なった。
【００１２】
その結果、株式会社Ａ−ＣＬＩＰ研究所が開発してきた難治性血管炎のバイオマーカー
迅速測定法の４抗原（ＭＰＯ、モエシン、ＰＲ３、ＧＢＭ）を、組み換え技術を用いて大
量生産し、搭載抗原量を可視化判定できる最低量に最適化し、大量に安定供給することで
、上記課題が解決されうることを見出し、本発明を完成させるに至った。
【発明の効果】
【００１３】
このようにして開発された簡易キットは「開業医用の普及型製品」と位置付けることが
でき、１５分程度で測定できる簡易キットを安価な普及価格として製品化することが可能
である。また、本キットの測定の高感度化に利用できる蛍光測定器をも開発した。
【図面の簡単な説明】
【００１４】
【図１Ａ】組み換え体ＭＰＯ抗原の作製方法を説明するための説明図である。
【図１Ｂ】実施例の「組み換え体ＭＰＯ抗原の作製方法」の欄において得られたプラスミドの構造を、当該プラスミドに組み込まれたヒトＭＰＯの重鎖遺伝子の塩基配列（配列番号１）とともに示す図である。
【図２Ａ】組み換え体モエシン抗原の作製方法を説明するための説明図である。
【図２Ｂ】実施例の「組み換え体モエシン抗原の作製方法」の欄において得られたプラスミドの構造を、当該プラスミドに組み込まれたヒトモエシン遺伝子の塩基配列（配列番号２）とともに示す図である。
【図３Ａ】組み換え体ＰＲ３抗原の作製方法を説明するための説明図である。
【図３Ｂ】実施例の「組み換え体ＰＲ３抗原の作製方法」の欄において得られたプラスミドの構造を、当該プラスミドに組み込まれたヒトＰＲＴＮ３遺伝子の塩基配列（配列番号３）とともに示す図である。
【図４Ａ】組み換え体ＧＢＭ抗原の作製方法を説明するための説明図である。
【図４Ｂ】実施例の「組み換え体ＧＢＭ抗原の作製方法」の欄において得られたプラスミドの構造を、当該プラスミドに組み込まれたヒトＣＯＬ４Ａ３遺伝子の塩基配列（配列番号４）とともに示す図である。
【図５】、実施例の測定キットの作製において、組み換え体抗原（ＭＰＯ、モエシン、ＰＲ３、ＧＢＭ）をニトロセルロースメンブラン上に塗布した様子を説明するための説明図である。
【図６】実施例の測定キットの作製において、メンブランをパッケージにセットした様子を説明するための写真である。
【図７】実施例の測定キットを用いて、試料中の抗ＭＰＯ抗体および抗モエシン抗体を目視による検出を行った結果を示す写真である。
【図８】実施例の測定キットの設計図および測定機器の写真である。
【図９】実施例の測定キットにおいて用いたバンドパスフィルターについて説明するための説明図である。
【図１０】実施例の測定キットの外観および検出法を説明するための写真である。
【図１１】実施例の測定キットで使用した蛍光標識ビーズについて、光源（ＬＥＤ）の励起光源の色、蛍光色素の種類、最大蛍光波長およびバンドパスフィルターの波長をまとめた一覧表である。
【図１２Ａ】実施例の測定キットを用いた測定結果の一例を示す写真およびグラフである。
【図１２Ｂ】実施例の測定キットを用いた測定結果の一例を示す写真およびグラフである。
【発明を実施するための形態】
【００１５】
本発明の第１の形態は、生体試料において、ミエロペルオキシダーゼ（ＭＰＯ）を特異
的に認識する抗体（抗体ＭＰＯ抗体）を検出し、モエシンを特異的に認識する抗体（抗モ
エシン抗体）を検出し、プロテイナーゼ３（ＰＲ３）を特異的に認識する抗体（抗ＰＲ３
抗体）を検出し、コラーゲンα３（ＩＶ）鎖を特異的に認識する抗体（抗ＧＢＭ抗体）を
検出することを含む、血管炎の検査方法である。
【００１６】
本発明の検査方法を適用することができる対象としては、動物であれば特に限定されな
いが、例えば、哺乳動物等が挙げられる。哺乳動物としては、例えば、霊長類、実験用動
物、家畜、ペット等が挙げられ特に限定されるものではないが、具体的には、例えば、ヒ
ト、サル、ラット、マウス、ウサギ、ウマ、ウシ、ヤギ、ヒツジ、イヌ、ネコなどが挙げ
られる。好ましくは、対象動物はヒトである。
【００１７】
本発明の方法に用いられうる生体試料としては、特に限定されないが、例えば、検査対
象である動物由来の組織、細胞、細胞抽出成分、体液等が挙げられる。組織としては、脾
臓、リンパ節、腎臓、肺、心臓、肝臓等が、細胞としては、脾細胞、リンパ細胞、好中球
、単球、マクロファージ、樹状細胞、抗体産生細胞等が、体液としては、血液、血清、血
漿、尿、汗、脊髄液等が挙げられる。検出の容易性などを考慮すると、生体試料としては
体液、特に血清、血漿または尿が好ましく、血清が最も好ましい。
【００１８】
本発明の検査方法において検査される「血管炎」の具体的な形態について特に制限はな
く、本技術分野において「血管炎」として認識されうるすべての疾患、症状、障害などが
いずれも包含されうる。血管炎の一例としては、例えば、ＭＰＡ、ＧＰＡ、ＥＧＰＡなど
が挙げられるが、これらには限定されない。ただし、本発明の検査方法は、ＭＰＡ、ＧＰ
ＡおよびＥＧＰＡを主とした検査方法である。
【００１９】
以下では、本発明に係る検査方法が標的とする抗体が特異的に認識する上記４種のタン
パク質を総称して「本発明のタンパク質」とも称し、本発明に係る検査方法が標的とする
上記４種の抗体を総称して「本発明の抗体」とも称する。ここで、本発明の抗体としては
、特にそのクラスは限定されず、ＩｇＧ、ＩｇＤ、ＩｇＥ、ＩｇＡ、ｓＩｇＡ、ＩｇＭ等
のいずれのものであってもよい。また、抗体の結合性断片（Ｆａｂ、Ｆａｂ’、Ｆ（ａｂ
’）２等）等も、本発明のタンパク質に対して特異的に結合する限り、「抗体」に含まれ
る。以下、本発明のタンパク質および本発明の抗体について、それぞれ説明する。
【００２０】
本発明の検査方法において検出される抗ＭＰＯ抗体により認識されるＭＰＯとは、ほと
んど好中球のみに存在し、過酸化水素（Ｈ２Ｏ２）および塩素イオン（Ｃｌ−）から次亜
塩素酸（ＨＣｌＯ）を産生する機能を有する酵素である。ＭＰＯは１５０ｋＤａのサイズ
を有するタンパク質であり、１５ｋＤａの軽鎖２本と、グリコシル化されて補欠分子ヘム
が結合した重鎖２本とからなる二量体である。ＭＰＯとしては、上述の哺乳動物由来のも
のであれば特に限定されないが、好ましくはヒト由来のＭＰＯである。ヒトＭＰＯとして
は、例えば、ＧｅｎＢａｎｋ登録番号Ｍ１９５０７．１のアミノ酸配列からなるタンパク
質、またはその天然のアレル変異体、並びにそれらの部分ポリペプチド等が挙げられる。
ＭＰＯの部分ポリペプチドとしては、ＭＰＯの軽鎖ポリペプチドまたは重鎖ポリペプチド
が挙げられ、好ましくはＭＰＯの重鎖ポリペプチドである。なお、本発明において検出さ
れる抗ＭＰＯ抗体は、自己のＭＰＯを特異的に認識する自己抗体であることが好ましい。
例えば、生体試料がヒト由来である場合には、好ましくは、ヒトのＭＰＯを特異的に認識
するヒト抗体が検出される。また、当該自己抗体はＭＰＯ−ＡＮＣＡであることがより好
ましい。なお、ＡＮＣＡとは「抗好中球細胞質抗体（ａｎｔｉ−ｎｅｕｔｒｏｐｈｉｌ  
ｃｙｔｏｐｌａｓｍｉｃ  ａｎｔｉｂｏｄｙ）」のことであり、ＩｇＧ型の自己抗体であ
る。
【００２１】
本発明の検査方法において検出される抗モエシン抗体により認識されるモエシンとは、
一般に細胞骨格に結合したタンパク質ファミリー（Ｅｚｒｉｎ  Ｒａｄｉｘｉｎ Ｍｏｅ
ｓｉｎ：ＥＲＭファミリー）に属するタンパク質であり、ヒトでは通常５７７アミノ酸か
らなる。モエシンとしては、上述の哺乳動物由来のものであれば特に限定されないが、好
ましくはヒト由来のモエシンである。ヒトモエシンとしては、例えば、ＧｅｎＢａｎｋ登
録番号ＮＭ＿００２４４４のアミノ酸配列からなるタンパク質、またはその天然のアレル
変異体、並びにそれらの部分ポリペプチド等が挙げられる。なお、本発明において検出さ
れる抗モエシン抗体は、自己のモエシンを特異的に認識する自己抗体であることが好まし
い。例えば、生体試料がヒト由来である場合には、好ましくは、ヒトのモエシンを特異的
に認識するヒト抗体が検出される。場合によっては、モエシンがＭＰＯと交差反応する配
列部分もあるため、ＭＰＯ−ＡＮＣＡの一部であることもある。
【００２２】
本発明の検査方法において検出される抗ＰＲ３抗体により認識されるプロテイナーゼ３
（ＰＲ３）とは、ＰＲＴＮ３遺伝子によってコードされるカチオン性タンパク質であり、
セリンプロテアーゼのトリプシン族に属する酵素である。ＰＲ３としては、上述の哺乳動
物由来のものであれば特に限定されないが、好ましくはヒト由来のＰＲ３である。ヒトＰ
Ｒ３としては、例えば、ＧｅｎＢａｎｋ登録番号ＮＭ＿００２７７７のアミノ酸配列から
なるタンパク質、またはその天然のアレル変異体、並びにそれらの部分ポリペプチド等が
挙げられる。なお、本発明において検出される抗ＰＲ３抗体は、自己のＰＲ３を特異的に
認識する自己抗体であることが好ましい。例えば、生体試料がヒト由来である場合には、
好ましくは、ヒトのＰＲ３を特異的に認識するヒト抗体が検出される。また、当該自己抗
体はＰＲ３−ＡＮＣＡであることがより好ましい。
【００２３】
本発明の検査方法において検出される抗ＧＢＭ抗体により認識されるコラーゲンα３（
ＩＶ）鎖とは、糸球体の基底膜を構成するコラーゲンのαサブユニットの１種であり、Ｃ
ＯＬ４Ａ３遺伝子よってコードされるタンパク質である。コラーゲンα３（ＩＶ）鎖とし
ては、上述の哺乳動物由来のものであれば特に限定されないが、好ましくはヒト由来のコ
ラーゲンα３（ＩＶ）鎖である。ヒトコラーゲンα３（ＩＶ）鎖としては、例えば、Ｇｅ
ｎＢａｎｋ登録番号ＮＭ＿００００９１のアミノ酸配列からなるタンパク質、またはその
天然のアレル変異体、並びにそれらの部分ポリペプチド等が挙げられる。なお、本発明に
おいて検出される抗ＧＢＭ抗体は、自己のコラーゲンα３（ＩＶ）鎖を特異的に認識する
自己抗体であることが好ましい。例えば、生体試料がヒト由来である場合には、好ましく
は、ヒトのコラーゲンα３（ＩＶ）鎖を特異的に認識するヒト抗体が検出される。
【００２４】
生体試料中の本発明のタンパク質を特異的に認識する抗体（本発明の抗体）を検出する
方法としては、自体公知の方法を用いることができ、特に限定されないが、液相または固
相で起こる反応（例えば抗原抗体反応）を直接測定する方法や、阻害物質を加えることに
より免疫反応の阻害を測定する方法などを利用することができる。
【００２５】
上記方法としては、例えば、本発明のタンパク質またはその部分ペプチドあるいはこれ
らを含むペプチドを生体試料と接触させ、生体試料中の抗体の本発明のタンパク質または
その部分ペプチドに対する特異的結合を、直接的または間接的に検出する方法が挙げられ
る。
【００２６】
上記方法に用いられる本発明のタンパク質またはその部分ペプチドあるいはこれらを含
むペプチドは、上述の本発明のタンパク質のうち、検査対象動物由来の生体試料（被験試
料）中に存在する本発明の抗体により特異的に認識されうるものであれば特に限定されな
い。ただし、本発明のタンパク質は、好ましくは検査対象動物由来のタンパク質である。
【００２７】
また、本発明において用いられる本発明のタンパク質の部分ペプチドまたはこれを含む
ペプチドとしては、本発明で検出される本発明の抗体が認識する抗原決定基を含むペプチ
ドであれば特にその長さは限定されない。一般的にタンパク質抗原の抗原決定基は、少な
くとも５〜６個のアミノ酸残基により構成されるため、少なくとも５個以上、好ましくは
８個以上、より好ましくは１０個以上のアミノ酸残基を含む本発明のタンパク質の部分ペ
プチドまたはこれを含むペプチドを、本発明では用いることができる。
【００２８】
本発明のタンパク質またはその部分ペプチドは修飾されていてもよい。このような修飾
としては、例えば、リン酸、糖または糖鎖、リン脂質、脂質、ヌクレオチド等による修飾
などが挙げられる。
【００２９】
本発明のタンパク質またはその部分ペプチドあるいはこれらを含むペプチドは、上述し
たヒトやその他の動物から公知の方法によって得ることができる。例えば、脾臓、子宮、
腎臓等のような本発明のタンパク質の発現組織またはその培養細胞、またはＵＴ−７等の
本発明のタンパク質を発現する細胞株などを用いて、本発明のタンパク質を精製すること
ができる。具体的には、当該動物の組織または細胞をホモジナイズした後、酸等で抽出を
行い、当該抽出液を逆相クロマトグラフィー、イオン交換クロマトグラフィー等のクロマ
トグラフィーを組み合わせることにより精製単離することができる。
【００３０】
本発明のタンパク質またはその部分ペプチドあるいはこれらを含むペプチドは、本発明
のタンパク質またはその部分ペプチドあるいはこれらを含むペプチドをコードする核酸を
含有する発現ベクターを導入した形質転換体を培養して本発明のタンパク質またはその部
分ペプチドを生成し、得られる培養物から本発明のタンパク質またはその部分ペプチドあ
るいはこれらを含むペプチドを分離・精製することによっても製造できる。例えば、本発
明のタンパク質であるヒトＭＰＯ重鎖タンパク質は、図１Ｂに示すように、配列番号１で
表される塩基配列を有する（好ましくは、当該塩基配列からなる）ＤＮＡを発現する発現
ベクターを用いて宿主（例えば、大腸菌）を形質転換し、当該宿主を培養することによっ
て培地中にヒトＭＰＯ重鎖タンパク質を得ることができる。ここで、配列番号１で表され
る塩基配列からなるＤＮＡは、ヒトＭＰＯ重鎖タンパク質をコードする遺伝子（ｃＤＮＡ
配列）である。
【００３１】
同様に、図２Ｂに示す配列番号２で表される塩基配列からなるＤＮＡは、本発明のタン
パク質であるヒトモエシンタンパク質をコードする遺伝子（終止コドンを含むｃＤＮＡ配
列）であり、図３Ｂに示す配列番号３で表される塩基配列からなるＤＮＡは、本発明のタ
ンパク質であるヒトＰＲ３タンパク質をコードする遺伝子（終止コドンを含むｃＤＮＡ配
列）であり、図４Ｂに示す配列番号４で表される塩基配列からなるＤＮＡは、本願によっ
て初めて提供される新規なＤＮＡであり、本発明のタンパク質であるヒトコラーゲンα３
（ＩＶ）鎖において、抗ＧＢＭ抗体が特異的に認識（結合）する抗原決定基からなる部分
ペプチドを含むペプチド（そのアミノ酸配列は次のとおりである：ＭＳＡＲＴＡＰＲＰＱ
ＶＬＬＬＰＬＬＬＶＬＬＡＡＡＰＡＡＳＫＧＣＶＣＫＤＫＧＱＣＦＣＤＡＰＡＫＥＥＤＩ
ＥＬＤＡＫＴＶＩＶＴＬＴＧＰＤＮＲＴＤＬＫＰＴＥＹＹＤＴＹＱＥＫＤＩＶＦＲＫＬＬ
ＣＴＱＣＰＹＩＰＥＴＬＱＰＥＥＬＳＶＳＴＰＶＰＥＰＡＶＡＭＰＰＳＥＩＳＨＶＩＬＬ
ＲＡＰＰＴＬＫＩＩＳＬＰＨＨＨＨＨＨ；配列番号５）をコードする遺伝子（ｃＤＮＡ配
列）である。ここで、コラーゲンには多数の分子ファミリーが存在し、タイプ４（ＩＶ型
コラーゲン）にも６種類のαサブユニットが存在する。そして、これらの分子の内部配列
のほとんどが共通のヘリックス構造を含んでいることから、当該ファミリーに含まれる多
数の分子からαサブユニット３（α３）の分子を識別するためには、共通配列の中に含ま
れるαサブユニット３（α３）に特異的なアミノ酸配列に基づく必要がある。このような
観点から、αサブユニット３（α３）に特異的なアミノ酸配列を対象として構築されたの
が配列番号４のｃＤＮＡ配列および配列番号５のアミノ酸配列である。
【００３２】
具体的に、配列番号４で表される塩基配列からなるＤＮＡの５’末端からの１２６ヌク
レオチドによってコードされる４２個のアミノ酸配列（ＭＳＡＲＴＡＰＲＰＱＶＬＬＬＰ
ＬＬＬＶＬＬＡＡＡＰＡＡＳＫＧＣＶＣＫＤＫＧＱＣＦＣＤ；配列番号６）は、既知のヒ
トコラーゲンα３（ＩＶ）鎖（ＧｅｎＢａｎｋ登録番号ＮＭ＿００００９１）のＮ末端か
ら４２個のアミノ酸配列と同一であり、当該配列が抗ＧＢＭ抗体に対する抗原決定基を含
んでいる。すなわち、本発明のさらに他の形態によれば、以下の（ａ）〜（ｄ）のいずれ
かのポリヌクレオチドもまた、提供される：
（ａ）配列番号４で表される塩基配列からなるポリヌクレオチド；
（ｂ）配列番号５で表されるアミノ酸配列からなるタンパク質をコードするポリヌクレ
オチド；
（ｃ）配列番号６で表されるアミノ酸配列をコードする塩基配列を含み、かつ配列番号
５で表されるアミノ酸配列において、１もしくは数個のアミノ酸が置換、欠失、挿入、お
よび／または付加したアミノ酸配列からなり、配列番号５で表されるアミノ酸配列からな
るタンパク質と機能的に同等なタンパク質をコードするポリヌクレオチド；並びに、
（ｄ）配列番号６で表されるアミノ酸配列をコードする塩基配列を含み、かつ配列番号
５に記載の塩基配列と７０％以上のホモロジーを有し、配列番号５で表されるアミノ酸配
列からなるタンパク質と機能的に同等なタンパク質をコードするポリヌクレオチド。
【００３３】
また、本発明によれば、上記（ａ）〜（ｄ）のいずれかのポリヌクレオチドによってコ
ードされるタンパク質もまた、提供される。配列番号５で表されるアミノ酸配列からなる
タンパク質はその一例である。
【００３４】
ここで、あるタンパク質が「配列番号５で表されるタンパク質と機能的に同等である」
とは、そのタンパク質が配列番号５で表されるタンパク質の有する「抗ＧＢＭ抗体が特異
的に認識する抗原決定基を含むことで、抗ＧＢＭ抗体によって特異的に認識される」とい
う機能を有することを意味する。
【００３５】
「配列番号５で表されるタンパク質と機能的に同等なタンパク質」は、当業者であれば
、例えば、タンパク質中のアミノ酸配列に変異を導入する方法を利用して調製することが
できる。変異の導入方法としては、例えば、部位特異的変異誘発法（Ｃｕｒｒｅｎｔ  Ｐ
ｒｏｔｏｃｏｌｓ  ｉｎ  Ｍｏｌｅｃｕｌａｒ  Ｂｉｏｌｏｇｙ  ｅｄｉｔ．  Ａｕｓｕ
ｂｅｌ  ｅｔ  ａｌ．  （１９８７）  Ｐｕｂｌｉｓｈ．  Ｊｈｏｎ  Ｗｉｌｙ  ＆  Ｓ
ｏｎｓ  Ｓｅｃｔｉｏｎ  ８．１−８．５）等を示すことができる。また、このようなタ
ンパク質は自然界におけるアミノ酸の変異により生じることもある。本発明には、配列番
号５で表されるタンパク質と同等の機能を有する限り、そのアミノ酸配列（配列番号５）
において１もしくは数個のアミノ酸が置換、欠失、挿入、および／または付加等により異
なるタンパク質も含まれる。タンパク質におけるアミノ酸の変異数や変異部位は、その機
能が保持される限り特に制限されない。変異数は、典型的には、全アミノ酸の１０％以内
であり、好ましくは全アミノ酸の５％以内であり、さらに好ましくは全アミノ酸の１％以
内である。置換されるアミノ酸は、タンパク質の機能保持の観点から、置換前のアミノ酸
と似た性質を有するアミノ酸であることが好ましい。例えば、Ａｌａ、Ｖａｌ、Ｌｅｕ、
Ｉｌｅ、Ｐｒｏ、Ｍｅｔ、Ｐｈｅ、Ｔｒｐは、共に非極性アミノ酸に分類されるため、互
いに似た性質を有すると考えられる。また、非荷電性アミノ酸としては、Ｇｌｙ、Ｓｅｒ
、Ｔｈｒ、Ｃｙｓ、Ｔｙｒ、Ａｓｎ、Ｇｌｎが挙げられる。また、酸性アミノ酸としては
、ＡｓｐおよびＧｌｕが挙げられる。また、塩基性アミノ酸としては、Ｌｙｓ、Ａｒｇ、
Ｈｉｓが挙げられる。
【００３６】
また、「配列番号５で表されるタンパク質と機能的に同等なタンパク質」は、当業者に
周知のハイブリダイゼーション技術あるいは遺伝子増幅技術を利用して単離することも可
能である。すなわち、当業者であれば、ハイブリダイゼーション技術（Ｃｕｒｒｅｎｔ  
Ｐｒｏｔｏｃｏｌｓ  ｉｎ  Ｍｏｌｅｃｕｌａｒ  Ｂｉｏｌｏｇｙ  ｅｄｉｔ．  Ａｕｓ
ｕｂｅｌ  ｅｔ  ａｌ．  （１９８７）  Ｐｕｂｌｉｓｈ．  Ｊｈｏｎ  Ｗｉｌｙ  ＆  
Ｓｏｎｓ  Ｓｅｃｔｉｏｎ  ６．３−６．４）を用いて配列番号５で表されるタンパク質
をコードする塩基配列（配列番号４）またはその一部をもとにこれと相同性の高いポリヌ
クレオチドを単離して、このポリヌクレオチドから機能的に同等なタンパク質を得ること
は、通常行いうることである。
【００３７】
このようなハイブリダイゼーション技術を利用して単離されるタンパク質は、配列番号
５で表されるタンパク質と比較して、通常、そのアミノ酸配列または当該タンパク質をコ
ードする塩基配列において高い相同性を有する。高い相同性とは、少なくとも６０％以上
、好ましくは７０％以上、さらに好ましくは８０％以上（例えば、９０％以上）の配列の
同一性を指す。相同性の特定は、ＢＬＡＳＴ２検索アルゴリズム（Ａｌｔｓｃｈｕｌ，Ｓ
．Ｆ．ｅｔ  ａｌ，１９９７  Ｇａｐｐｅｄ  ＢＬＡＳＴ  ａｎｄ  ＰＳＩ−ＢＬＡＳＴ
：  ａ  ｎｅｗ  ｇｅｎｅｒａｔｉｏｎ  ｏｆ  ｐｒｏｔｅｉｎ  ｄａｔａｂａｓｅ  ｓ
ｅａｒｃｈ  ｐｒｏｇｒａｍｓ．  Ｎｕｃｌｅｉｃ  Ａｃｉｄｓ  Ｒｅｓ．  ２５：３３
８９−３４０２．）を用いて決定することができる。
【００３８】
また、遺伝子増幅技術（ＰＣＲ）（Ｃｕｒｒｅｎｔ  ｐｒｏｔｏｃｏｌｓ  ｉｎ  Ｍｏ
ｌｅｃｕｌａｒ  Ｂｉｏｌｏｇｙ    ｅｄｉｔ．  Ａｕｓｕｂｅｌ  ｅｔ  ａｌ．  （１
９８７）  Ｐｕｂｌｉｓｈ．  Ｊｏｈｎ  Ｗｉｌｅｙ  ＆  Ｓｏｎｓ  Ｓｅｃｔｉｏｎ  
６．１−６．４）を用いて、配列番号４で表される塩基配列の一部をもとにプライマーを
設計し、これら塩基配列またはその一部と相同性の高いＤＮＡ断片を単離して、これをも
とに配列番号５で表されるタンパク質と機能的に同等なタンパク質を得ることも可能であ
る。なお、当該タンパク質をコードするポリヌクレオチドは、当該タンパク質の製造、発
現状態を知るためのプライマーまたはプローブとして有用である。
【００３９】
本発明のタンパク質またはその部分ペプチドは、公知のペプチド合成法により製造する
こともできる。このようなペプチド合成法としては、例えば、固相合成法、液相合成法の
いずれであってもよい。本発明のタンパク質を構成しうる部分ペプチドまたはアミノ酸と
残余部分とを縮合し、生成物が保護基を有する場合は保護基を脱離することにより、本発
明のタンパク質またはその部分ペプチドを製造することができる。
【００４０】
本発明のタンパク質の部分ペプチドは、上述または後述のいずれかの方法により得られ
るタンパク質を、適当なペプチダーゼで切断することによっても製造することができる。
【００４１】
本発明のタンパク質またはその部分ペプチドは、精製作業等を容易にすることを目的に
、適当なタグが連結されたものであってもよい。このようなタグとしては、イムノグロブ
リンＦｃ領域、マルトース結合タンパク質（ＭＢＰ）、グルタチオン−Ｓ−トランスフェ
ラーゼ（ＧＳＴ）、ｃ−Ｍｙｃタグ、ＦＬＡＧタグ、ＨＡタグ、Ｈｉｓタグ等が挙げられ
る。
【００４２】
抗体を検出するための検出方法としては、特に限定されないが、より具体的には以下の
方法が挙げられる。
（１）血球やゼラチン粒子の表面に、本発明のタンパク質またはその部分ペプチド（抗原
）を被覆し、生体試料を加えることにより抗原抗体反応を起こさせ、凝集塊を作らせる凝
集反応；
（２）本発明のタンパク質またはその部分ペプチドを含む抽出液と生体試料とを寒天ゲル
内で拡散させて沈降反応を起こさせる二重免疫拡散法（ＤＩＤ：ｄｏｕｂｌｅ  ｉｍｍｕ
ｎｅ  ｄｉｆｆｕｓｉｏｎ：オクタロニー法）；
（３）精製した本発明のタンパク質またはその部分ペプチドをプレートに固相化し、生体
試料を加えて反応させた後、
ｉ）酵素と結合した二次抗体をさらに反応させて、基質の発色を分光光度計で検出するＥ
ＬＩＳＡ法；
ｉｉ）蛍光色素と結合した二次抗体をさらに反応させて、蛍光発色を測定する蛍光免疫測
定法（ＦＩＡ）；または、
ｉｉｉ）化学発光物質と結合した二次抗体をさらに反応させて、化学蛍光（ケミルミネッ
センス）を測定する化学発光免疫測定法（ＣＬＩＡ）；
（４）ラテックス粒子やガラスビーズなどの表面を本発明のタンパク質またはその部分ペ
プチドで被覆し、当該粒子が抗体と遭遇したときに起こる凝集反応液に光をあて、その透
過光を測定する免疫比濁法またはその散乱光を測定する免疫比朧法（ネフェロメトリー法
）；
（５）本発明のタンパク質またはその部分ペプチドを放射性同位元素で標識し、生体試料
と反応させ抗原抗体反応を検出するラジオイムノアッセイ；
（６）本発明のタンパク質またはその部分ペプチドを含む組織の凍結薄切片または細胞を
スライドガラス上に貼り付け、生体試料を切片上に滴下することにより反応させ、蛍光色
素と結合した二次抗体とさらに反応させて、蛍光を顕微鏡下で検出する蛍光抗体法；
（７）本発明のタンパク質またはその部分ペプチドをチップ上に固定して生体試料を流す
ことにより親和性をみる表面プラズモン共鳴解析法；
（８）電気泳動により分離展開したゲル内の本発明のタンパク質またはその部分ペプチド
を、ニトロセルロース膜等に転写し、生体試料と反応させ抗原抗体反応を検出するウエス
タンブロッティング法。
【００４３】
例えば検出手段がＥＬＩＳＡ法の場合、具体的には、下記のように検出および／または
定量を行なうことができる。すなわち、慣用のＥＬＩＳＡの手法に従い、例えば、本発明
のタンパク質またはその部分ペプチドで被覆したマルチウェルプレートの各ウェルに生体
試料を供し、各ウェルに酵素標識した二次抗体を添加して反応させ、酵素基質を添加した
後、当該酵素により生じた産物を検出および／または定量することにより、抗原抗体反応
の検出および／または定量を行なうことができる。
【００４４】
上述したＥＬＩＳＡ法の場合、標識に用いられる酵素としては、通常ＥＬＩＳＡ法に用
いられる慣用の酵素であればよく、例えば、ペルオキシダーゼ、アルカリホスファターゼ
、β−Ｄ−ガラクトシダーゼ、グルコースオキシダーゼ、ルシフェラーゼ、エステラーゼ
、β−Ｄ−グルクロニダーゼなどが挙げられる。より高感度で安定な検出を達成すること
が可能であるという観点からは、ペルオキシダーゼまたはアルカリホスファターゼが好適
に用いられうる。また、酵素基質は、用いる酵素により適宜選択することができ、例えば
、ペルオキシダーゼの場合、３，３’，５，５’−テトラメチルベンジジンなどが用いら
れ、アルカリホスファターゼの場合、パラニトロフェニルリン酸ナトリウムなどが用いら
れる。
【００４５】
酵素により生じた産物の検出および／または定量は、当該産物の吸光度を測定すること
により行なうことができる。例えば、酵素基質として、３，３’，５，５’−テトラメチ
ルベンジジンを用いた場合には、６５５ｎｍにおける吸光度を測定すればよい。
【００４６】
例えば、検出手段が蛍光免疫測定法（ＦＩＡ）の場合、蛍光色素としては、ＦＩＴＣ（
Ｆｌｕｏｒｅｓｃｅｉｎ  Ｉｓｏｔｈｉｏｃｙａｎａｔｅ）、ＰＥ（ｐｈｙｃｏｅｒｙｔ
ｈｒｉｎ）、ＡＰＣ（Ａｌｌｏｐｈｙｃｏｃｙａｎｉｎ）、Ｃｙ−３、Ｃｙ−５等が挙げ
られる。
【００４７】
また、例えば、検出手段が化学発光免疫測定法（ＣＬＩＡ）の場合、化学蛍光（ケミル
ミネッセンス）としては、アクリジニウムエステル等が挙げられる。
【００４８】
ここで、本発明に係る血管炎の検査方法では、４種のタンパク質（ＭＰＯ、モエシン、
ＰＲ３、ＧＢＭ）をそれぞれ特異的に認識する抗体を検出することで血管炎の検査を行う
ものである。具体的に、上記４種のタンパク質のそれぞれを特異的に認識する抗体の検出
プロファイルに応じて、検査対象による血管炎への罹患の有無や重症度、予後を判定する
ことができる。例えば、生体試料中に本発明の抗体の少なくとも１種、好ましくは少なく
とも２種、より好ましくは少なくとも３種、特に好ましくは４種すべてが検出された場合
、当該生体試料の由来する対象は、血管炎を発症する／している可能性が高いと判断する
ことができ、検出された抗体の数が多いほどその確度は高くなる。この場合、生体試料中
における本発明の抗体のそれぞれの抗体価が高いほど血管炎を発症する／している可能性
が高いとすることもできる。逆に、生体試料中に本発明の抗体が検出されない場合、当該
生体試料の由来する対象は、血管炎を発症する／している可能性が低いと判断することが
できる。
【００４９】
上述した発症可能性を判断する場合、その判断基準は抗体の検出・未検出のみに限定さ
れるわけでない。例えば、健常対象由来の生体試料中の本発明の抗体の量の平均値±３Ｓ
Ｄ等をカットオフ値と設定し、カットオフ値以上であれば対象は血管炎を発症する／して
いる可能性が高いと判断し、逆にカットオフ値以下であれば対象は血管炎を発症する／し
ている可能性が低いと判断してもよい。
【００５０】
また、本発明の検査方法を利用して、血管炎の細分類を行うことも可能である。ここで
、細分類の対象とされる血管炎について特に制限はなく、上述したものやその他従来公知
の血管炎が細分類の対象とされうるが、一例として、小血管炎と中血管炎とを合併するも
のが挙げられる。かような血管炎としては、例えば、ＭＰＡ、ＧＰＡ、ＥＧＰＡ、川崎病
、関節リウマチ、全身性エリテマトーデス（ＳＬＥ）、ベーチェット病、特発性間質性肺
炎によるものが挙げられる。なかでも、上述した４種のそれぞれの抗体を検出することは
、ＭＰＡ、ＧＰＡ、ＥＧＰＡの病態を細分類する目的で、反応性の血管炎病態マーカーと
して用いられることが好ましい。とりわけ、これらの血管炎への治療による寛解、再発、
治療抵抗性を判定するための病態マーカーとしても有効に用いられうる。
【００５１】
さらに、本発明の抗体が検出された場合には、以下のような血管炎由来の症状、疾患が
疑われ、より詳細な因果関係等が解明されれば、該症状や疾患の治療による寛解、再発、
治療抵抗性を判定するための病態マーカーとして非常に有用である：循環器病疾患（高血
圧、脳梗塞、心筋梗塞、脳卒中、動脈瘤）、多発性硬化症、ギラン・バレー症候群、慢性
炎症性脱髄性多発神経炎、ライソゾーム病、特発性血栓症、血栓性血小板減少性紫斑病（
ＴＴＰ）、特発性血小板減少性紫斑病、ＩｇＡ腎症、急速進行性糸球体腎炎、難治性ネフ
ローゼ症候群、特発性間質性肺炎、サルコイドーシス、びまん性汎細気管支炎、自己免疫
性肝炎、ベーチェット病、ＳＬＥ、シェーグレン症候群、高安病（大動脈炎症候群）、バ
ージャー病、結節性多発動脈炎、悪性関節リウマチ、側頭動脈炎、抗リン脂質抗体症候群
、強皮症、好酸球性筋膜炎、天疱瘡。
【００５２】
また、本発明の第２の形態によれば、生体試料中の本発明の抗体を検出する物質を含む
、血管炎の検査用試薬が提供される。
【００５３】
本形態の検査用試薬に含まれる上記「物質」としては、上述の方法において本発明の抗
体の検出を達成しうるものであれば特に限定されないが、好ましくは本発明のタンパク質
またはその部分ペプチドである。また、本発明で検出される本発明の抗体が、複数の抗原
決定基を認識する抗体群である場合、本発明のタンパク質またはその部分ペプチド中に存
在する多くの抗原決定基に、それぞれ特異的に認識する抗体を網羅的に検出させることに
より、検出感度を向上させるという観点から、当該物質は本発明のタンパク質の全長であ
ることが好ましいが、これに限定されることはない。
【００５４】
本発明のタンパク質またはその部分ペプチドは、粉末、溶液等の形態で提供されてもよ
く、血球、ゼラチン粒子、プレート、ラテックス粒子、ガラスビーズ、スライドガラス、
チップ、マイクロタイタープレート、遠心管、マイクロビーズ、メンブレン、ペーパーデ
ィスク等の不溶性担体に担持された形で提供されてもよい。なお、容器上の担体において
は、当該担体に保持される溶液が接触する部位、例えばマイクロタイタープレートの場合
には、ウェルの部位に本発明のタンパク質またはその部分ペプチドが担持される。なお、
本発明のタンパク質またはその部分ペプチドの不溶性担体への担持は、公知の方法により
行なうことができる。
【００５５】
本発明の検査用試薬を用いれば、上述の方法により、容易に血管炎を検査することがで
きる。
【００５６】
本発明の検査用試薬はまた、上述の検出方法で使用される試薬等をさらに含む、血管炎
検査用キットとすることもできる。上記試薬等として具体的には、試薬や生体試料を希釈
するための緩衝液、蛍光色素、反応容器、陽性対照、陰性対照、検査プロトコールを記載
した指示書等が挙げられる。これらの要素は、必要に応じて予め混合しておくこともでき
る。このキットを使用することにより、本発明の血管炎の検査が簡便となり、早期の治療
方針決定に非常に有用である。
【００５７】
本発明により提供される検査用キットは、後述する実施例の欄および図面に記載されて
いるような構成とすることにより、具体的には以下のような利点を有するものである。
【００５８】
（１）本測定技術により、ベッドサイドで迅速に結果を得ることができ、検査機関での
測定が不要で、安価な普及価格で「開業医用普及型製品」としての測定キットおよび高感
度測定器が提供可能である。
【００５９】
（２）本測定技術により、本測定法の抗原（ＭＰＯ、モエシン、ＰＲ３、ＧＢＭ）につ
いて、組み換え技術を用いて大量生産し安定供給することが可能となり、ヒト由来生体材
料で入手困難で倫理的な問題は生じない。
【００６０】
（３）本測定技術により、抗原（ＭＰＯ、モエシン、ＰＲ３、ＧＢＭ）を、組み換え技
術を用いて大量生産し、この際、高精度タンパクプリント技術により、０．１ｍｍ幅のラ
イン状に固定することが可能である。これにより、搭載抗原量を可視化判定できる最低量
に最適化し、大量に安定供給することで、個々のバラつきを最小限に抑えることができる
。具体的には、それぞれの抗原（ＭＰＯ抗原、モエシン抗原、ＰＲ３抗原、ＧＢＭ抗原）
をニトロセルロースのメンブラン上に塗布している。
【００６１】
（４）本測定技術では、高感度測定の設計図に基づき新たに開発した小型（ハンディタ
イプ）で安価な蛍光リーダーを使用していることから、１５分程度で測定できる本キット
の感度をこれまで以上に上げることが可能である。具体的には、蛍光検出による高感度化
に伴い、バックグラウンドノイズ（ＢＧ）の値も必然的に上昇する。すなわち、イムノク
ロマト担体であるニトロセルロースの材質は白色であり、励起光照射により散乱光を生じ
ＢＧノイズレベルを上昇させることになる。ここで、ニトロセルロースの基材自体の変更
は困難であることから、クロマト溶媒、クロマト担体を収納する容器、クロマト担体を処
理するブロッキング剤の条件を検討することによりＢＧノイズの低減化を図り、上述した
ような高感度での測定を可能としたのである。より具体的に、本測定技術では、励起光の
エネルギー受容体となるクエンチャー色素を溶媒あるいはブロッキング剤として導入する
ことにより、非特異的にクロマト担体に残留する蛍光ビーズからの蛍光発光を減弱させ、
ＢＧノイズの低減化を実現して蛍光測定における強度について、目視用の色素の１００倍
の強度を実現した。
【００６２】
（５）本測定技術は、難治性血管炎の検査にとどまらず、がん検査、感染症検査に幅広
く利用が可能となる新技術となり、新たな市場を開拓することにつながるという利点も有
している。
【実施例】
【００６３】
以下、実施例を用いて本発明を詳述するが、本発明は以下の実施例に限定されるもので
はない。
【００６４】
検査用の原材料について、本発明によれば、ヒト由来生体材料を用いる必要がないこと
から、入手困難であったり倫理的な問題が生じたりする虞はない。具体的に、本発明によ
れば、本測定法に用いる抗原タンパク質（ＭＰＯ、ＰＲ３、ＧＢＭ、モエシン）を、組み
換え技術を用いて大量生産し安定供給することが可能となる。その結果、ヒト由来生体材
料に頼って入手困難となったり、倫理的な問題が生じたりすることはない。なお、各抗原
タンパク質の作製方法は以下のとおりである。
【００６５】
《組み換え体ＭＰＯ抗原の作製方法（図１Ａ）》
１．プラスミドへのヒトＭＰＯ遺伝子の組み込みと大腸菌へのトランスフェクション
ヒトミエロペルオキシダーゼ（ＭＰＯ）の重鎖遺伝子にプロモーターおよびタグ（６ｘ
Ｈｉｓ）のＤＮＡ配列を組み込んだプラスミドを作製し、大腸菌（Ｋ１２）にトランスフ
ェクションし、プラスミドが予定通り挿入されていることをＰＣＲおよびＤＮＡ配列から
確認した。得られたプラスミドの構造を、当該プラスミドに組み込まれたヒトＭＰＯの重
鎖遺伝子の塩基配列（配列番号１）とともに図１Ｂに示す。
【００６６】
２．大腸菌の培養および抽出
ヒトＭＰＯの重鎖遺伝子を組み込んだプラスミドをトランスフェクションした大腸菌（
Ｋ１２）を３Ｌの培養液中で０．１ｍＭ  ＩＰＴＧ存在下、１６℃にて１６時間培養した
。
【００６７】
培養した大腸菌を、３５００ｒｐｍの速度で４℃にて３０分間遠心して、大腸菌ペレッ
トを得た。
【００６８】
３．精製
大腸菌ペレットを６Ｍグアニジン塩酸、５０ｍＭトリス塩酸溶液（ｐＨ７．０）に懸濁
し、超音波で１０分間処理し、１５０００ｒｐｍの速度で４℃にて１０分間遠心して、上
清を得た。その上清をＮｉレジンカラム（径１．５ｃｍ、５ｃｍ長）に通して組換えタン
パク質を吸着させ、８Ｍ尿素（グリシン濃度２．５ｍＭ、２５ｍＭ、１００ｍＭ、５００
ｍＭ）の各溶液にて順次カラムを洗浄することにより夾雑タンパクを除去し、８Ｍ尿素、
０．１Ｍ  ＥＤＴＡにて組換えタンパク質を溶出させて、ヒトＭＰＯタンパク質を精製し
た。得られたヒトＭＰＯタンパク質について、ＳＤＳ−ＰＡＧＥおよび抗ヒトＭＰＯ抗体
を用いたウエスタンブロッティングにより精製度を確認した。
【００６９】
《組み換え体モエシン抗原の作製方法（図２Ａ）》
１．プラスミドへのヒトモエシン遺伝子の組み込みと大腸菌へのトランスフェクション
ヒトモエシンの遺伝子にプロモーターおよびタグ（６ｘＨｉｓ）のＤＮＡ配列を組み込
んだプラスミドを作製し、大腸菌（Ｋ１２）にトランスフェクションし、プラスミドが予
定通り挿入されていることをＰＣＲおよびＤＮＡ配列から確認した。得られたプラスミド
の構造を、当該プラスミドに組み込まれたヒトモエシン遺伝子の塩基配列（配列番号２）
とともに図２Ｂに示す。
【００７０】
２．大腸菌の培養および抽出
ヒトモエシン遺伝子を組み込んだプラスミドをトランスフェクションした大腸菌（Ｋ１
２）を３Ｌの培養液中で０．１ｍＭ  ＩＰＴＧ存在下、１６℃にて１６時間培養した。
【００７１】
培養した大腸菌を、３５００ｒｐｍの速度で４℃にて３０分間遠心して、大腸菌ペレッ
トを得た。
【００７２】
３．精製
上述したＭＰＯと同様の方法により、ヒトモエシンタンパク質の精製および精製度の確
認を行った。
【００７３】
《組み換え体ＰＲ３抗原の作製方法（図３Ａ）》
１．プラスミドへのヒトＰＲＴＮ３遺伝子の組み込みと大腸菌へのトランスフェクショ
ン
ヒトＰＲ３タンパク質をコードするヒトＰＲＴＮ３遺伝子にプロモーターおよびタグ（
６ｘＨｉｓ）のＤＮＡ配列を組み込んだプラスミドを作製し、大腸菌（Ｋ１２）にトラン
スフェクションし、プラスミドが予定通り挿入されていることをＰＣＲおよびＤＮＡ配列
から確認した。得られたプラスミドの構造を、当該プラスミドに組み込まれたヒトＰＲＴ
Ｎ３遺伝子の塩基配列（配列番号３）とともに図３Ｂに示す。
【００７４】
２．大腸菌の培養および抽出
ヒトＰＲＴＮ３遺伝子を組み込んだプラスミドをトランスフェクションした大腸菌（Ｋ
１２）を３Ｌの培養液中で０．１ｍＭ  ＩＰＴＧ存在下、１６℃にて１６時間培養した。
【００７５】
培養した大腸菌を、３５００ｒｐｍの速度で４℃にて３０分間遠心して、大腸菌ペレッ
トを得た。
【００７６】
３．精製
上述したＭＰＯと同様の方法により、ヒトＰＲ３タンパク質の精製および精製度の確認
を行った。
【００７７】
《組み換え体ＧＢＭ抗原の作製方法（図４Ａ）》
１．プラスミドへのヒトＧＢＭ遺伝子の組み込みと大腸菌へのトランスフェクション
ヒトＧＢＭの遺伝子にプロモーターおよびタグ（６ｘＨｉｓ）のＤＮＡ配列を組み込ん
だプラスミドを作製し、大腸菌にトランスフェクションし、プラスミドが予定通り挿入さ
れていることをＰＣＲおよびＤＮＡ配列から確認した。得られたプラスミドの構造を、当
該プラスミドに組み込まれたヒトＣＯＬ４Ａ３遺伝子（非へリックス）の塩基配列（配列
番号４）とともに図４Ｂに示す。
【００７８】
２．大腸菌の培養および抽出
ヒトＧＢＭ遺伝子を組み込んだプラスミドをトランスフェクションした大腸菌（Ｋ１２
）を３Ｌの培養液中で０．１ｍＭ  ＩＰＴＧ存在下、１６℃にて１６時間培養した。
【００７９】
培養した大腸菌を、３５００ｒｐｍの速度で４℃にて３０分間遠心して、大腸菌ペレッ
トを得た。
【００８０】
３．精製
上述したＭＰＯと同様の方法により、ヒトＧＢＭタンパク質の精製および精製度の確認
を行った。
【００８１】
《メンブランへの抗原の塗布およびキットのパッケージ化》
本実施例では、組み換え体抗原（ＭＰＯ、モエシン、ＰＲ３、ＧＢＭ）を、ニトロセル
ロースメンブラン（ミリポアフィルター製）上に、幅０．１ｍｍ、長さ５ｍｍでライン状
に塗布するように設計した（図５）。その後、メンブランをパッケージにセットし、検体
を挿入するようにしたパッケージを作製した（図６）。このようにして開発された本発明
に係る測定技術および簡易測定キットによれば、抗原タンパク質の大量生産が可能となる
ことからキットの個々のバラつきが最小限に抑えられ、また、結果の信頼性を大幅に向上
させることが可能となる。
【００８２】
《キットでの目視検出法（図７）》
以下の手法および条件により、試料中の抗ＭＰＯ抗体および抗モエシン抗体の目視によ
る検出を行った。
【００８３】
１．抗ＭＰＯ抗体の検出
被験試料：抗ヒトＭＰＯ抗体、抗ウサギＩｇＧ、ヒト血漿（４０μＬ）
検出ビーズ：抗ウサギＩｇＧコートラテックス（赤）、
：抗ヒトＩｇＧコートラテックス（赤）
展開バッファー：０．１％Ｔｗｅｅｎ、１％ＢＳＡ、１５０ｍＭ  ＮａＣｌ、１０ｍＭ
ＮａＰＯ４、ｐＨ７．０、０．０５％ＮａＮ３
展開バッファー３２０μＬに被験試料４０μＬを混合し、その合液１２０μＬにラテッ
クスビーズ液５μＬを加えて、その全量をサンプルウインドウに入れて展開させた後、１
５分後および３０分後に写真撮影。
【００８４】
２．抗モエシン抗体の検出
被験試料：抗ヒトモエシンモノクローナル抗体  ５００ｎｇ、マウスＩｇＧ  ５μｇ、
ヒト血漿（４０μＬ）
検出ビーズ：抗ヒトＩｇＧコートラテックス（赤）
：抗マウスＩｇＧコートラテックス（赤）
展開バッファー：０．１％Ｔｗｅｅｎ、１％ＢＳＡ、１５０ｍＭ  ＮａＣｌ、１０ｍＭ
ＮａＰＯ４、ｐＨ７．０、０．０５％ＮａＮ３
展開バッファー３２０μＬに被験試料４０μＬを混合し、その合液１２０μＬにラテッ
クスビーズ液５μＬを加えて、その全量をサンプルウインドウに入れて展開させた後、１
５分後および３０分後に写真撮影。
【００８５】
《ＡＮＣＡ−Ｆａｓｔキットの基本構成および基本回路》
本発明による高感度測定のためのキットの設計図および測定機器の写真を図８に示す。
【００８６】
１．励起光源
廉価で省電力のＬＥＤを使用
集光レンズにより、励起光をチップホルダーに装着したメンブレン上に集光
励起光をカットし蛍光波長を透過するガラスフィルターを検出器の前に配置
各種蛍光標識ビーズの分光特性を計測し、最適な励起波長、測定波長を決定。
【００８７】
ここで、蛍光標識ビーズとしては、好ましくはＰｏｌｙｓｃｉｅｎｃｅ社製ＮＹＯ蛍光
ビーズと同等のものを用いる。本実施例では、カルボキシル基修飾ＮＹＯ（蛍光）ビーズ
（粒子径５０ｎｍ、最大励起波長：５２９．０３ｎｍ、最大発光波長：５４６．５５ｎｍ
）を用いた。そして、検出条件として、最大発光波長５４６．５５ｎｍ（橙色）検出のた
めオレンジフィルターにより蛍光発光を検出した。この際、励起光については、蛍光発光
波長から離れた青色ＬＥＤ（波長４５０ｎｍ）を用いることにより、励起光照射のバック
グラウンドを低減化して蛍光測光の最適化を実現した。また、検出ストリップ幅について
は、ＬＥＤ発光体の光源幅および蛍光受光素子の大きさから、最大の蛍光受光効率を与え
る検出ストリップ幅を４ｍｍとした。さらに、イムノクロマト溶媒侵入側から５ｍｍの位
置に検出抗原を塗布し、そこから１０ｍｍの位置にコントロール抗原を塗布することによ
り、検出抗原とコントロール抗原からの傾向の干渉を低減化することによって、検出スト
リップ検出抗原の位置を最適化した。
【００８８】
２．蛍光集光
励起光をフィルターでカットし、蛍光波長のみ透過する短波長カットまたはバンドパス
フィルターを使用（図９）
蛍光スポットから発する蛍光を、測光レンズにより検出器に集光
集光検出器にはシリコンフォトダイオードを採用。
【００８９】
３．測定
回路は、検出器の出力を零調整と感度調整とを備えたプリアンプで増幅後、ピークホー
ルドの回路とした
反応部位のあるバンドの位置とその反応度合が変化するため、蛍光が最も強くなる部分
を自動的に検出させ、個体差なく正確に測定が可能
ピークホールド回路は、試験片をスライドしたとき、蛍光最大測定値を設け、ＲＥＳＥ
Ｔスイッチを押すまで表示
４．表示と外部へのデータ転送
測定値はデジタル数字で表示パネルに表記
デジタル測定値は、データ収集および記録のため、プリンター、コンピュータインター
フェース接続できるインターフェースをもつ。
【００９０】
《高感度測定機器の外観写真および検出法（図１０）》
本高感度測定機器は、難治性血管炎のバイオマーカーＡＮＣＡ自己抗体の迅速簡易検査
キットの普及型の検査機器として作製したことから、超小型のハンディタイプとした。
【００９１】
外観は、横１１．５ｃｍ、縦１７ｃｍ、高さ２．５ｃｍで、メンブランをストリップホ
ルダに入れ、測光部にストリップホルダを差し込み、蛍光を測定
データは、表示パネルに測定値をデジタル数字で表示し、ＲＥＳＥＴスイッチを押すま
で表示
本高感度測定機器は、手軽に誰でもどこでも測定が可能な電池での稼働で、海外で携帯
して使用可能。
【００９２】
《使用した蛍光標識ビーズ（図１１）》
カルボジイミドによる蛍光ポリスチレンビーズへの抗体のカップリング 
ラベル用ヒトＩｇＧ検出抗体：好ましくはＪａｃｋｓｏｎ  Ｌａｂｏｒａｔｏｒｙ  ａ
ｎｔｉ−ｈｕｍａｎ  ＩｇＧ  ｇｏａｔ  ａｎｔｉｂｏｄｙまたはこれと同等のもの、抗
ウサギＩｇＧヤギ抗体
以下の方法により蛍光マイクロビーズに検出抗体を結合させることが好ましい。
【００９３】
１）２．５％ＮＹＯビーズを４００μＬの０．１Ｍ炭酸バッファー（ｐＨ９．６）に懸
濁させる；
２）Ｃｅｎｔｒｉｆｕｇｅ  ｆｉｌｔｅｒ  １０ｋ  ｍｉｎｉに入れ、１４０００ｘｇ
にて１０分間遠心し、再懸濁する操作を３回繰り返す；
３）濾過したビーズに４００μＬの０．１Ｍ  ＭＥＳバッファー（ｐＨ６．０）を加え
、懸濁させる；
４）Ｃｅｎｔｒｉｆｕｇｅ  ｆｉｌｔｅｒ  １０ｋ  ｍｉｎｉに入れ、１４０００ｘｇ
にて１０分間遠心し、再懸濁する操作を３回繰り返す；
５）濾過したビーズに１２５μＬの０．１Ｍ  ＭＥＳバッファーを加え、懸濁させる；
６）新しく調製直後の２％カルボジイミド溶液１２５ｕＬを滴下し、３時間インキュベ
ートする；
７）Ｃｅｎｔｒｉｆｕｇｅ  ｆｉｌｔｅｒ  １０ｋ  ｍｉｎｉに入れ、１４０００ｘｇ
にて１０分間遠心する；
８）４００μＬの０．２Ｍホウ酸バッファーに懸濁させる；
９）１４０００ｘｇにて１０分間遠心し、再懸濁する操作を３回繰り返す；
１０）１００μｇ（２μＬ）の抗ウサギＩｇＧヤギ抗体を加えて懸濁させる；
１１）室温にて一晩カップリング反応を行う（時々攪拌する）；
１２）Ｃｅｎｔｒｉｆｕｇｅ  ｆｉｌｔｅｒ  １０ｋ  ｍｉｎｉに入れ、１４０００ｘ
ｇにて１０分間遠心する；
１３）２４０μＬの０．２Ｍホウ酸バッファーに懸濁させる；
１４）１０μＬの０．２５Ｍエタノールアミンを加え、３０分間攪拌して、未反応イミ
ド基をブロッキングする；
１５）Ｃｅｎｔｒｉｆｕｇｅ  ｆｉｌｔｅｒ  １０ｋ  ｍｉｎｉに入れ、１４０００ｘ
ｇにて１０分間遠心する；
１６）４００μＬ  １％ＢＳＡ、０．２Ｍホウ酸バッファーを加え、３０分間攪拌して
、ブロッキングする；
１７）Ｃｅｎｔｒｉｆｕｇｅ  ｆｉｌｔｅｒ  １０ｋ  ｍｉｎｉに入れ、１４０００ｘ
ｇにて１０分間遠心し、再懸濁する操作を３回繰り返す；
１８）４００μＬの１％ＢＳＡ、１０ｍＭ  ＰＢ（ｐＨ７．４）、０．１％ＮａＮ３、
５％グリセロール（保存用バッファー）に懸濁させる；
１９）４℃にて保存する。
【００９４】
イムノクロマトの検出に使用した蛍光標識ビーズは５種類である。
【００９５】
粒子径：０．０５μｍ〜１μｍのうち、メンブレンのポアサイズの制限から０．０５μ
ｍ〜０．５μｍまでの０．０５、０．１５、０．２５、０．３５、０．４５μｍの５種類
について検出最適条件を検討した。プロトタイプの蛍光測定器を用いて、ＬＥＤ励起光源
とそれに最適な色素とのを組み合わせ（最大効率を与える組み合わせ）を、バンドパスフ
ィルターを通過する蛍光強度に基づき決定した。
【００９６】
・高感度化に伴い、蛍光標識ビーズの濃度、添加量に依存して、蛍光プローブのバック
グラウンド（ＢＧ）のノイズが上昇しうることから、混合する蛍光検出ビーズの量は重要
なファクターとなる。イムノクロマト溶媒の量により検出目的物質を効率よく検出位置で
捕捉させ、それ以外の物質は検出ポイントから流れ去る条件を見出して濃度依存性を確認
した（図１１）。
【００９７】
しかも、イムノクロマト担体のメンブランの材質はニトロセルロースで白色であり、励
起光照射により散乱光を生じＢＧノイズレベルを上昇させる。そのため、展開溶媒および
メンブラン担体をブロッキング剤で処理するここでＢＧノイズの低減化を図った。そして
、ブロッキング剤の導入で、蛍光ビーズからの蛍光発光も減弱させた。
【００９８】
その結果、ＢＧノイズの低減化により、蛍光測定を可視光での測定の１００倍以上の感
度を実現することが可能となった（図１２Ａおよび図１２Ｂ）。
【図１Ａ】
2020115139.tif 000003
【図１Ｂ】
2020115139.tif 000004
【図２Ａ】
2020115139.tif 000005
【図２Ｂ】
2020115139.tif 000006
【図３Ａ】
2020115139.tif 000007
【図３Ｂ】
2020115139.tif 000008
【図４Ａ】
2020115139.tif 000009
【図４Ｂ】
2020115139.tif 000010
【図５】
2020115139.tif 000011
【図６】
2020115139.tif 000012
【図７】
2020115139.tif 000013
【図８】
2020115139.tif 000014
【図９】
2020115139.tif 000015
【図１０】
2020115139.tif 000016
【図１１】
2020115139.tif 000017
【図１２Ａ】
2020115139.tif 000018
【図１２Ｂ】
2020115139.tif 000019
【配列表】
2020115139000001.app
【手続補正書】
【提出日】令和2年4月10日(2020.4.10)
【手続補正１】
【補正対象書類名】特許請求の範囲
【補正対象項目名】全文
【補正方法】変更
【補正の内容】
【特許請求の範囲】
【請求項１】
生体試料において、ミエロペルオキシダーゼ（ＭＰＯ）を特異的に認識する抗体（抗ＭＰＯ抗体）、モエシンを特異的に認識する抗体（抗モエシン抗体）、プロテイナーゼ３（ＰＲ３）を特異的に認識する抗体（抗ＰＲ３抗体）、およびコラーゲンα３（ＩＶ）鎖を特異的に認識する抗体（抗ＧＢＭ抗体）をイムノクロマト法により検出するための血管炎の検査用キットであって、
前記生体試料に含まれる前記抗ＭＰＯ抗体と結合しうるＭＰＯタンパク質、前記生体試料に含まれる前記抗モエシン抗体と結合しうるモエシンタンパク質、前記生体試料に含まれる前記抗ＰＲ３抗体と結合しうるＰＲ３タンパク質、および前記生体試料に含まれる前記抗ＧＢＭ抗体と結合しうるＧＢＭタンパク質がそれぞれサンプル供給部の下流側に配置された抗原保持部を有するイムノクロマト担体と、
前記生体試料を前記ストリップの前記サンプル供給部から供給するための展開バッファーと、
前記抗ＭＰＯタンパク質に結合した前記抗ＭＰＯ抗体、前記モエシンタンパク質に結合した前記抗モエシン抗体、前記ＰＲ３タンパク質に結合した前記抗ＰＲ３抗体、および前記ＧＢＭタンパク質に結合した抗ＧＢＭ抗体をそれぞれ検出するための二次抗体並びに、前記二次抗体とカップリングされた、蛍光色素で標識された蛍光標識ビーズと、
前記生体試料および前記蛍光標識ビーズを前記展開バッファーと混合して前記イムノクロマト担体上に展開した際、前記生体試料中に前記抗ＭＰＯ抗体、前記抗モエシン抗体、前記抗ＰＲ３抗体および／または前記抗ＧＢＭ抗体が存在するときに、これらの抗体と前記二次抗体とが前記抗原保持部において結合することで前記抗原保持部に保持される前記蛍光標識ビーズの量に基づいて前記生体試料中に含まれる前記抗ＭＰＯ抗体、前記抗モエシン抗体、前記抗ＰＲ３抗体および／または前記抗ＧＢＭ抗体の量を定量する定量手段と、
を有し、
前記定量手段は、
前記蛍光色素を励起するための励起光源と、
前記蛍光色素が発する蛍光を測定するための蛍光測定手段と、
前記蛍光測定手段による前記蛍光の測定値または前記測定値を各抗体の量に換算した値を表示する表示パネルと
を有する、血管炎の検査用キット。
【請求項２】
前記イムノクロマト担体がニトロセルロースメンブレンである、請求項１に記載の検査用キット。
【請求項３】
前記励起光源がＬＥＤである、請求項１または２に記載の検査用キット。
【請求項４】
前記蛍光色素が発する蛍光を、蛍光波長のみを透過する短波長カットフィルターまたはバンドパスフィルターを通過させた後に前記蛍光測定手段において測定を行う、請求項１〜３のいずれか１項に記載の検査用キット。
【請求項５】
前記蛍光測定手段が、シリコンフォトダイオードからなる集光検出器である、請求項１〜４のいずれか１項に記載の検査用キット。
【請求項６】
前記定量手段は、前記蛍光測定手段において測定された蛍光の出力を増幅するプリアンプおよび蛍光が最も強くなる部分を自動的に検出するピークホールド回路をさらに備える、請求項１〜５のいずれか１項に記載の検査用キット。
【請求項７】
前記イムノクロマト担体および前記展開バッファーがブロッキング剤で処理されている、請求項１〜６のいずれか１項に記載の検査用キット。